(57)【要約】【課題】見栄えを良好にし、安定した抜止め効果を得ることができるようにしたブリスターパッケージを提供する。【解決手段】物品Ｗの収容用凹部４が形成された正面視矩形状のブリスターカバー２における左右の折返し端部６，６を、台紙３の左右の両側端縁３ａ，３ａから、台紙３の裏面に向けて折り返して、台紙３を挾持したブリスターパッケージ１において、台紙３における左右の両側端縁３ａ，３ａに、切込溝７を形成するとともに、ブリスターカバー２の折返し端部６，６に、切起し折曲部８を切込溝７に整合する位置に形成し、この切起し折曲部８を、切込溝７から台紙３の裏面に向け、二つ折り状態に折畳むことにより、ブリスターカバー２と台紙３との抜止めとする。【選択図】図１
2007276838.tif 000002
【特許請求の範囲】
【請求項１】
物品の収容用凹部が形成された正面視矩形状のブリスターカバーにおける左右または上下の折返し端部を、台紙の左右または上下の両端縁から、台紙の裏面に向けて折り返して、台紙を挾持したブリスターパッケージにおいて、
台紙の左右または上下における互いに対向する端縁の少なくとも一方に、切込溝を形成するとともに、ブリスターカバーの折返し端部に、切起し折曲部を、切込溝と整合する位置に形成し、この切起し折曲部を、切込溝から台紙の裏面または表面に向け、二つ折り状態に折畳むことにより、ブリスターカバーと台紙との抜止めとしたことを特徴とするブリスターパッケージ。
【請求項２】
切起し折曲部を、ブリスターカバーにおける折返し端部の折込線を跨いで、この折込線に対して、直交する互いに平行な１対のスリットにより囲繞される部分をもって形成するとともに、これらスリットの両端部間及び中央部間を、それぞれ結ぶ線を折込線とし、かつこの中央部間の折込線の位置を、折返し端部の折込線と一致させるとともに、切起し折曲部の中央部を、台紙の裏面または表面に向け山形に折り込むことにより構成したことを特徴とする請求項１記載のブリスターパッケージ。
【発明の詳細な説明】
【技術分野】
【０００１】
本発明は、文具、玩具、日用品、食品、化粧品等の物品を包装し陳列するのに用いられるブリスターパッケージに関する。
【背景技術】
【０００２】
一般に、ブリスターパッケージは、樹脂シートに物品の収容用凹部を形成したブリスターカバーと、その裏面に組み合わせられる台紙とにより構成されている。
【０００３】
従来、この種のブリスターパッケージにおいては、ブリスターカバーに台紙をスライド可能に組み合わせることにより、開封時における物品の取出しを容易にするとともに、陳列時において、ブリスターカバーと台紙との相対的なスライドにより、収容した物品が落下しないように、ブリスターカバーと台紙と間に、抜止め手段を施したものが知られている（例えば、特許文献１，２参照）
【０００４】
しかし、上述の特許文献１記載のものにおいては、抜止め手段として、台紙における左右方向の側端に、ブリスターカバーの折返し端部に設けた係合孔に係止する楔部や、台紙の下端部に、ブリスターカバーにおける折返し端部の下端が係止する段部等の突起を、左右方向の外方に突出させているので、搬送時に破損し易いばかりでなく、見栄えが悪い。
また、ブリスターカバーと台紙との抜止め効果を高めるために、それらの突起の突出幅を大きくすると、邪魔になり、しかも、台紙が、左右正規寸法より突起の突出分だけ部分的に幅広な異形の形状を有するので、製作時の歩留まりが悪くなる。
【０００５】
特許文献２記載のものにおいては、抜止め手段として、台紙に、切起し可能な突起片を、ブリスターカバーの係合孔に整合する位置に切り込み、ブリスターカバーと台紙との組合せ状態において、突起片を、係合孔に係合するように、前方に向けて切り起しているので、突起片が外部に突出し、見栄えが悪くなる。
特許文献１  特開２００３−２２１０６６号公報
特許文献２  特開平６−１０００２４号公報
【発明の開示】
【発明が解決しようとする課題】
【０００６】
本発明は、従来の技術が有する上記のような問題点に鑑み、見栄えを良好にし、安定した抜止め効果を得ることができるようにしたブリスターパッケージを提供することを目的としている。
【課題を解決するための手段】
【０００７】
本発明によると、上記課題は、次のようにして解決される。
（１）  物品の収容用凹部が形成された正面視矩形状のブリスターカバーにおける左右または上下の折返し端部を、台紙の左右または上下の両端縁から、台紙の裏面に向けて折り返して、台紙を挾持したブリスターパッケージにおいて、台紙の左右または上下における互いに対向する端縁の少なくとも一方に、切込溝を形成するとともに、ブリスターカバーの折返し端部に、切起し折曲部を、切込溝と整合する位置に形成し、この切起し折曲部を、切込溝から台紙の裏面または表面に向け、二つ折り状態に折畳むことにより、ブリスターカバーと台紙との抜止めとする。
【０００８】
（２）  上記（１）項において、切起し折曲部を、ブリスターカバーにおける折返し端部の折込線を跨いで、この折込線に対して、直交する互いに平行な１対のスリットにより囲繞される部分をもって形成するとともに、これらスリットの両端部間及び中央部間を、それぞれ結ぶ線を折込線とし、かつこの中央部間の折込線の位置を、折返し端部の折込線と一致させるとともに、切起し折曲部の中央部を、台紙の裏面または表面に向け山形に折り込むことにより構成する。
【発明の効果】
【０００９】
本発明によると、次のような効果を奏することができる。
請求項１記載の発明によると、台紙の左右または上下における互いに対向する少なくとも一方の端縁に、切込溝を形成するとともに、ブリスターカバーの折返し端部に、切起し折曲部を切込溝に整合する位置に形成し、この切起し折曲部を、切込溝から台紙の裏面または表面に向け、二つ折り状態に折畳むことにより、ブリスターカバーと台紙との抜止めとしてあるので、切起し折曲部を、例えばブリスターカバーの折返し端部と台紙との間の内側に挾持されるように、切込溝を通して強固に折り込むことができ、外部に突出することがなく、見栄えを良好にすることができる。
また、台紙の端縁に切込溝を切り込んで形成してあるので、従来のように、台紙の端縁に突起が突出することがなく、製作時の歩留まりの向上を図ることができ、しかも、切込溝の深さも、必要に応じて大きくすることができるので、安定した抜止め効果を得ることができる。
【００１０】
請求項２記載の発明によると、切起し折曲部を、ブリスターカバーにおける折返し端部の折込線を跨いで、この折込線に対して、直交する互いに平行な１対のスリットにより囲繞される部分をもって形成するとともに、これらスリットの両端部間及び中央部間を、それぞれ結ぶ線を折込線とし、かつこの中央部間の折込線の位置を、折返し端部の折込線と一致させるとともに、切起し折曲部の中央部を、台紙の裏面または表面に向け山形に折り込むことにより構成してあるので、切起し折曲部を、ブリスターカバーにおける折返し端部の折返し動作に、簡単かつ容易に協動させて折り込むことできるとともに、安定した抜止め効果を得ることができる。
【発明を実施するための最良の形態】
【００１１】
以下、本発明のブリスターカバーの一実施形態を、図面を参照して詳細に説明する。図１は、本発明の一実施形態を示す斜視図、図２は、同じく、ブリスターカバーの分解斜視図、図３は、ブリスターカバーと台紙との組合せ状態を一部拡大して示す分解斜視図、図４は、図１のIV−IV線拡大横断面図、図５は、ブリスターカバーの展開状態を示す正面図である。
【００１２】
図１及び図２に示すように、本発明のブリスターパッケージ(１)は、硬質塩化ビニル、ＰＥＴ樹脂等の樹脂シートから真空成形法或いは圧空成形法により形成されたブリスターカバー(２)と、適宜の印刷等が施された板紙製の台紙(３)とにより構成されている。
【００１３】
ブリスターカバー(２)は、被包装用の物品(Ｗ)の形に合わせて成形された収容用凹部(４)と、その周囲に張出し部(５)が形成された上下方向に縦長の正面視矩形状を有するとともに、張出し部(５)における左右両側端縁(5a)(5a)には、図２〜図４に示すように、台紙(３)の左右両側端縁(3a)(3a)から、台紙(３)の裏面に向けて圧着するように折返し補形された折返し端部(６)(６)が上下方向に沿い形成され、これら左右の折返し端部(６)(６)による台紙(３)裏面に向けての折返しにより、台紙(３)を上下方向にスライド可能に挾持している。
【００１４】
台紙(３)の左右に互いに対向する両側端縁(3a)(3a)の上部には、図２に示すように、左右一対の切込溝(７)(７)が形成され、これら左右の切込溝(７)(７)に整合位置するように、ブリスターカバー(２)における左右の折返し端部(６)(６)側に、切起し折曲部(８)(８)がそれぞれ形成されている。
【００１５】
この各切起し折曲部(８)は、図５に示すように、ブリスターカバー(２)における折返し端部(６)の上下方向に沿う折込線(ａ)を跨いで、この上下方向の折込線(ａ)に対して、左右方向に直交する互いに平行な上下１対のスリット(９)(９)により囲繞される部分をもって形成されている。これら上下のスリット(９)(９)の左右両端部間は、折込線(ｂ)(ｂ)により上下に結ばれ、その中央部間は、折込線(ｃ)により上下に結ばれている。
【００１６】
この中央部間の折込線(ｃ)の位置は、折返し端部(６)の折込線(ａ)と一致させてあるとともに、切起し折曲部(８)の中央部が、図４に示すように、折返し端部(６)の折返し動作に協動して、切込溝(７)から台紙(３)の裏面に向け山形に折り込まれ、折込線(ｃ)により左右に区画された折曲片部(8a)(8a)が、二つ折り状態に折畳まれている。
これにより、ブリスターカバー(２)と台紙(３)の上下方向の相対的なスライドによる抜止めがなされている。
【００１７】
ブリスターカバー(２)と台紙(３)とを組合わせるには、次のようにして行われる。
図２に示すように、ブリスターカバー(２)の収容用凹部(４)に、その裏面側から物品(Ｗ)を収容する。次に、台紙３の切込溝(７)を、ブリスターカバー(２)の切起し折曲部(８)に合致させた状態とした後、切込溝(７)に対応する折返し端部(６)の一部を、左右方向の外側に向け開くように展開させた状態（図５参照）で、左右の折返し端部(６)(６)間に台紙３を挿入する。次いで、展開状態の左右の折曲片部(8a)(8a)を、図４に想像線で示すように、台紙３の裏面に向け山形になるようにしながら、折返し端部(６)を、その復元力をもって弾性的に元の状態に復元させる。これにより、左右の折曲片部(8a)(8a)を、折返し端部(６)の復元動作に協動させて、図４に実線で示すように、台紙３の裏面に向け、二つ折り状態に折畳んだ状態にすることができる。
【００１８】
一方、物品(Ｗ)を取出すには、次のようにする。
折返し端部(６)を、左右方向の外側に向け開くように展開させることにより、この展開動作に協動させて、切起し折曲部(８)における二つ折り状態の左右の折曲片部(8a)(8a)を展開させ、台紙(３)の切込溝(７)から開放させる。これにより、ブリスターカバー(２)または台紙(３)は、上下方向に相対的にスライド可能になり、例えば台紙(３)を下方にスライドさせて引き抜くことにより、物品(Ｗ)を容易に取出すことができる。
【００１９】
本発明の実施形態においては、ブリスターカバー(２)における切起し折曲部(８)を、台紙(３)の裏面に向け折り込んだが、台紙(３)の表面に向け折り込むことも可能である。
また、ブリスターカバー(２)の折返し端部(６)(６)による台紙(３)の挾持状態を左右方向としたが、上下方向として、ブリスターカバー(２)または台紙(３)を、左右方向に相対的にスライド可能にしてもよく、この場合、切込溝(７)及び切起し折曲部(８)は、ブリスターカバー(２)及び台紙(３)の上下に形成される。
さらに、台紙(３)を、ブリスターカバー(２)に対して相対的にスライド可能に組合せまたは分解したが、組合せ時または分解時に、折返し端部(６)(６)を展開させて、スライドさせることなく、ブリスターカバー(２)を台紙(３)に組付けたり、離脱させることも可能である。
【図面の簡単な説明】
【００２０】
【図１】本発明のブリスターカバーの一実施形態を示す斜視図である。
【図２】同じく、ブリスターカバーの分解斜視図である。
【図３】ブリスターカバーと台紙との組合せ状態を一部拡大して示す分解斜視図である。
【図４】図１のIV−IVにおける拡大横断面図である。
【図５】ブリスターカバーの展開状態を示す正面図である。
【符号の説明】
【００２１】
(１)ブリスターパッケージ
(２)ブリスターカバー
(３)台紙
(3a)側端縁
(４)収容用凹部
(５)張出し部
(5a)側端縁
(６)折返し端部
(７)切込溝
(８)折返し折曲部
(8a)(8a)折曲片部
(９)スリット
(ａ)折込線
(ｂ)折込線
(ｃ)折込線
(Ｗ)物品
【図１】
2007276838.tif 000003
【図２】
2007276838.tif 000004
【図３】
2007276838.tif 000005
【図４】
2007276838.tif 000006
【図５】
2007276838.tif 000007